(57)【要約】【課題】  追加の回路を用いて構成された通信回路の低消費電力化を実現する。【解決手段】  アナログ信号を周波数変換する周波数変換回路に接続可能であり、前記周波数変換回路から周波数変換後のアナログ信号を入力可能な第１の入力端子と、前記第１の入力端子から入力されたアナログ信号をディジタル信号へ変換するＡ／Ｄ変換部と、前記Ａ／Ｄ変換部によって生成されたディジタル信号を復調して第１のディジタル復調信号を生成する復調部と、第２のディジタル復調信号を生成する復調回路に接続可能であり、前記復調回路から前記第２のディジタル復調信号を入力可能な第２の入力端子と、前記第１のディジタル復調信号、及び前記第２の入力端子から入力された前記第２のディジタル復調信号のいずれかを通過させる選択器と、前記第２のディジタル復調信号が前記選択器に入力されている場合は、前記Ａ／Ｄ変換部及び前記復調部の少なくともいずれか一方の動作を停止させる動作制御部と、を備える。【選択図】  図１
2005210415.tif 000002
【特許請求の範囲】
【請求項１】
アナログ信号を周波数変換する周波数変換回路に接続可能であり、前記周波数変換回路から周波数変換後のアナログ信号を入力可能な第１の入力端子と、
前記第１の入力端子から入力されたアナログ信号をディジタル信号へ変換するＡ／Ｄ変換部と、
前記Ａ／Ｄ変換部によって生成されたディジタル信号を復調して第１のディジタル復調信号を生成する復調部と、
第２のディジタル復調信号を生成する復調回路に接続可能であり、前記復調回路から前記第２のディジタル復調信号を入力可能な第２の入力端子と、
前記第１のディジタル復調信号、及び前記第２の入力端子から入力された前記第２のディジタル復調信号のいずれかを通過させる選択器と、
前記第２のディジタル復調信号が前記選択器に入力されている場合は、前記Ａ／Ｄ変換部及び前記復調部の少なくともいずれか一方の動作を停止させる動作制御部と、
を備えた無線通信回路。
【請求項２】
前記動作制御部は、前記Ａ／Ｄ変換部及び前記復調部の少なくともいずれか一方へのクロックの供給あるいは電源の供給を停止することを特徴とする請求項１に記載の無線通信回路。
【請求項３】
第１の入力端子から入力されたアナログ信号をディジタル信号へ変換する第１のＡ／Ｄ変換部と、
第２の入力端子から入力されたアナログ信号をディジタル信号へ変換する第２のＡ／Ｄ変換部と、
前記第１のＡ／Ｄ変換部によって生成されたディジタル信号を復調して第１のディジタル復調信号を生成する第１の復調部と、
前記第２のＡ／Ｄ変換部によって生成されたディジタル信号を復調して第２のディジタル復調信号を生成する第２の復調部と、
第１のディジタル復調信号及び第２のディジタル復調信号のいずれかを通過させる選択器と、
前記選択器が第２のディジタル復調信号を通過させている場合は、前記第１のＡ／Ｄ変換部及び前記第１の復調部の少なくともいずれか一方の動作を停止させる動作制御部と、
を備えた無線通信装置。
【請求項４】
前記第２の復調部の出力バス幅を、前記第１の復調部の出力バス幅と同一のバス幅に変更するバス幅変更部をさらに備えたことを特徴とする請求項３に記載の無線通信装置。
【請求項５】
被変調ディジタル信号を第１経路又は第２経路に分岐させる選択器と、
前記第１経路上に接続され、前記被変調ディジタル信号を変調してディジタル変調信号を生成する変調部と、
前記変調部によって生成されたディジタル変調信号をアナログ変調信号に変換するＤ／Ａ変換部と、
アナログ信号を周波数変換する周波数変換回路に接続可能であり、前記Ｄ／Ａ変換部によって生成されたアナログ変調信号を前記周波数変換回路に出力可能な第２の出力端子と、
前記被変調ディジタル信号を変調する変調回路に接続可能であり、前記第２の経路に分岐された前記被変調ディジタル信号を前記変調回路に出力可能な第２の出力端子と、
前記選択器が前記被変調ディジタル信号を前記第２経路に分岐させている場合は、前記変調部及び前記Ｄ／Ａ変換部の少なくともいずれか一方の動作を停止させる動作制御部と、
を備えた無線通信回路。
【請求項６】
前記動作制御部は、前記変調部及び前記Ｄ／Ａ変換部の少なくともいずれか一方へのクロックの供給あるいは電源の供給を停止することを特徴とする請求項５に記載の無線通信回路。
【請求項７】
被変調ディジタル信号を第１経路又は第２経路に分岐させる選択器と、
前記第１経路上に接続され、前記被変調ディジタル信号を変調して第１のディジタル変調信号を生成する第１の変調部と、
前記第２経路上に接続され、前記被変調ディジタル信号を変調して第２のディジタル変調信号を生成する第２の変調部と、
前記第１の変調部によって生成された第１のディジタル変調信号をアナログ変調信号に変換する第１のＤ／Ａ変換部と、
前記第２の変調部によって生成された第２のディジタル変調信号をアナログ変調信号に変換する第２のＤ／Ａ変換部と、
前記選択器が前記被変調ディジタル信号を前記第２経路に分岐させている場合は、前記第１の変調部及び前記第１のＤ／Ａ変換部の少なくともいずれか一方の動作を停止させる動作制御部と、
を備えた無線通信装置。
【請求項８】
前記第２経路のバス幅を、前記第２の変調部の入力バス幅と同一のバス幅に変更するバス幅変更部をさらに備えたことを特徴とする請求項７に記載の無線通信装置。
【発明の詳細な説明】
【技術分野】
【０００１】
本発明は、無線通信回路及び無線通信装置に関し、特に拡張回路の外付けによって受信機能等を向上可能な無線通信回路及び拡張回路を備えた無線通信装置に関する。
【背景技術】
【０００２】
無線通信方式の多様化に伴い、使用する環境や利用するアプリケーションに応じて、異なる無線通信方式を利用可能な無線通信装置が普及しつつある。このように複数の無線通信方式に対応した無線通信装置の構成は、以下の２つのタイプに大別される。
【０００３】
一つは、予め複数の送受信回路を用意しておき、必要に応じていずれか一方もしくは任意の組み合わせを用いるタイプである。もう一つは、基本となる送受信回路と、この送受信回路に付加され新たな機能を提供するオプションの送受信回路とを組み合わせて用いるタイプである。
【０００４】
後者のタイプにおいて基本となる送受信回路に付加される送受信回路は、単独で送受信処理を行うことはできず、必ず基本となる送受信回路を伴って動作する。追加の送受信回路は、基本となる送受信回路による無線通信方式と異なった無線通信方式を実現することの他、例えば受信性能を向上させる回路であったり、伝送速度を高速化する回路であったりもする。追加の送受信回路を用いた構成では、ユーザの要求に応じた無線通信装置を簡易に製造及び提供できる利点がある。また、予め複数の送受信回路を用意する構成と比較して、基本的な送受信回路の開発スピードが向上し、また、全体のコストの低減化も可能となる。
【０００５】
ところで、年々無線通信装置の低消費電力化への要求が高まっており、このことは、複数の無線通信方式に対応した無線通信装置についても同様である。これを受けて、複数の無線通信方式に対応した無線通信装置について種々の低消費電力化方法が提案されている。
【０００６】
例えば特願平第9-171899号公報、特開第2000-138654号公報では、一方の無線通信方式に対応した送受信処理を行っている間は、他方の無線通信方式に対応する送受信回路を停止する技術が提案されている。但し、これらの提案はいずれも複数の送受信回路を用意するタイプの無線通信装置に関するものである。
【０００７】
これに対し、基本的な送受信回路と追加の送受信回路とで構成される無線通信装置に関しては、有効な低消費電力化方法は提案されておらず、依然として大きな消費電力を要する問題があった。
【０００８】
例えば、基本的な送受信回路と追加の送受信回路の両方に共通して含まれる機能ブロック(例えばA/D変換部や復調回路)は、追加の送受信回路の使用時には基本的な送受信回路において使用されないにも拘わらず動作状態にあり、消費電力に無駄があった。
【特許文献１】特願平第9-171899号公報
【特許文献２】特開第2000-138654号公報
【発明の開示】
【発明が解決しようとする課題】
【０００９】
このように基本の送受信回路と追加の送受信回路とで構成されるタイプの無線通信装置においては、余計な電力を消費するという問題があった。その他、装置回路規模の低減、受信性能の向上、処理速度の向上などが課題となっている。
【００１０】
この発明は、上記問題点に鑑みてなされたものであり、その目的は、オプションの回路を用いて通信回路を構成した場合にも消費電力を低減化できる無線通信回路及び無線通信装置を提供することにある。
【課題を解決するための手段】
【００１１】
本発明の無線通信回路は、アナログ信号を周波数変換する周波数変換回路に接続可能であり、前記周波数変換回路から周波数変換後のアナログ信号を入力可能な第１の入力端子と、前記第１の入力端子から入力されたアナログ信号をディジタル信号へ変換するＡ／Ｄ変換部と、前記Ａ／Ｄ変換部によって生成されたディジタル信号を復調して第１のディジタル復調信号を生成する復調部と、第２のディジタル復調信号を生成する復調回路に接続可能であり、前記復調回路から前記第２のディジタル復調信号を入力可能な第２の入力端子と、前記第１のディジタル復調信号、及び前記第２の入力端子から入力された前記第２のディジタル復調信号のいずれかを通過させる選択器と、前記第２のディジタル復調信号が前記選択器に入力されている場合は、前記Ａ／Ｄ変換部及び前記復調部の少なくともいずれか一方の動作を停止させる動作制御部と、を備える。
【００１２】
本発明の無線通信装置は、第１の入力端子から入力されたアナログ信号をディジタル信号へ変換する第１のＡ／Ｄ変換部と、第２の入力端子から入力されたアナログ信号をディジタル信号へ変換する第２のＡ／Ｄ変換部と、前記第１のＡ／Ｄ変換部によって生成されたディジタル信号を復調して第１のディジタル復調信号を生成する第１の復調部と、前記第２のＡ／Ｄ変換部によって生成されたディジタル信号を復調して第２のディジタル復調信号を生成する第２の復調部と、第１のディジタル復調信号及び第２のディジタル復調信号のいずれかを通過させる選択器と、前記選択器が第２のディジタル復調信号を通過させている場合は、前記第１のＡ／Ｄ変換部及び前記第１の復調部の少なくともいずれか一方の動作を停止させる動作制御部と、を備える。
【００１３】
本発明の無線通信回路は、被変調ディジタル信号を第１経路又は第２経路に分岐させる選択器と、前記第１経路上に接続され、前記被変調ディジタル信号を変調してディジタル変調信号を生成する変調部と、前記変調部によって生成されたディジタル変調信号をアナログ変調信号に変換するＤ／Ａ変換部と、アナログ信号を周波数変換する周波数変換回路に接続可能であり、前記Ｄ／Ａ変換部によって生成されたアナログ変調信号を前記周波数変換回路に出力可能な第２の出力端子と、前記被変調ディジタル信号を変調する変調回路に接続可能であり、前記第２の経路に分岐された前記被変調ディジタル信号を前記変調回路に出力可能な第２の出力端子と、前記選択器が前記被変調ディジタル信号を前記第２経路に分岐させている場合は、前記変調部及び前記Ｄ／Ａ変換部の少なくともいずれか一方の動作を停止させる動作制御部と、を備える。
【００１４】
本発明の無線通信装置は、被変調ディジタル信号を第１経路又は第２経路に分岐させる選択器と、前記第１経路上に接続され、前記被変調ディジタル信号を変調して第１のディジタル変調信号を生成する第１の変調部と、前記第２経路上に接続され、前記被変調ディジタル信号を変調して第２のディジタル変調信号を生成する第２の変調部と、前記第１の変調部によって生成された第１のディジタル変調信号をアナログ変調信号に変換する第１のＤ／Ａ変換部と、前記第２の変調部によって生成された第２のディジタル変調信号をアナログ変調信号に変換する第２のＤ／Ａ変換部と、前記選択器が前記被変調ディジタル信号を前記第２経路に分岐させている場合は、前記第１の変調部及び前記第１のＤ／Ａ変換部の少なくともいずれか一方の動作を停止させる動作制御部と、を備える。
【発明の効果】
【００１５】
本発明により、オプションの回路を用いて通信回路を構成した場合にも消費電力を低減化できる。
【発明を実施するための最良の形態】
【００１６】
以下、図面を参照しながら本発明の実施の形態について詳細に説明する。
【００１７】
（第１の実施の形態）
図１は、本発明の第１の実施の形態としての無線通信装置の構成を示すブロック図である。
【００１８】
この無線通信装置は、通常の送受信処理を実行可能な第１の送受信回路101と、第１の送受信回路101に外付けされ、無線通信装置1の送受信処理を高機能化する第２の送受信回路102とを備える。
【００１９】
第１の送受信回路101は、第１のA/D変換部103と、第１のD/A変換部104と、第１の変復調部105と、セレクタ107と、アクセス制御部106とを備え、さらに、本発明の実施の形態の特徴の１つである動作制御部111を備える。第１のA/D変換部103には、無線周波数変換器112と接続されて、無線周波数変換器112からアナログ信号を入力可能な入力端子T1が設けられている。また、第１のD/A変換部104には、無線周波数変換器112と接続されて、無線周波数変換器112にアナログ信号を出力可能な出力端子T2が設けられている。
【００２０】
第２の送受信回路102は、第２のA/D変換部108と、第２のD/A変換部109と、第２の変復調部110とを備える。第２の送受信回路102は、第２のA/D変換部108における入力端子T3及び第２のD/A変換部109における出力端子T4を介して、無線周波数変換器（アンテナ装置）112に接続される。
【００２１】
第２の変復調部110における入出力端子T5と、第１の送受信回路101のセレクタ107における入出力端子T6とが接続され、これにより第２の送受信回路102と第１の送受信回路101とが接続される。
【００２２】
第２の送受信回路102は、第１の送受信回路101と異なる無線通信方式に対応した変復調処理を行うものであったり、第１の送受信回路101と同じ無線通信方式に対応した変復調処理を行うがより高性能化された機能を実現するものであったりする。
【００２３】
例えば、第２の送受信回路102には、複数のアンテナに対応したスマートアンテナ機能（図３参照。第３の実施の形態で詳述）を備えさせ、一方、第１の送受信回路101には、単一のアンテナを用いる通常の送受信機能を備えさせる。
【００２４】
第１の送受信回路101及び第２の送受信回路102は、それぞれ、同じ無線周波数帯を利用する無線通信方式を用いても、異なる無線周波数帯を利用する無線通信方式を用いてもよい。
【００２５】
上述した無線周波数変換器112は、送信時には、通常ベースバンド周波数のアナログ信号を無線周波数のアナログ信号へ変換した後、電波信号として送出し、受信時には、受信した無線周波数のアナログ信号を中間周波数もしくはベースバンドのアナログ信号に変換する。
【００２６】
第１の送受信回路101におけるセレクタ107は、アクセス制御部106と第１の変復調部105との間に設けられ、第１の変復調部105及びアクセス制御部106間のデータ通信と、第２の変復調部110及びアクセス制御部106間のデータ通信とを選択可能に構成される。即ち、セレクタ107は、第１の変復調部105及び第２の変復調部110のいずれか一方とアクセス制御部106とを接続する。
【００２７】
動作制御部111は、第１のA/D変換部103、第１のD/A変換部104及び第１の変復調部105の少なくともいずれかの動作（アクティブ及び停止）を制御する。例えば、動作制御部111は、クロック信号の供給あるいは電源の供給をオンオフすることで、機器の動作を制御する。その他、動作制御部111は、イネーブル信号を用いて各機器の動作を制御してもよい。
【００２８】
以上の構成において、次にその動作について説明する。
【００２９】
但し、前提条件として、第２の変復調部110及びアクセス制御部106間で通信可能なようにセレクタ107を設定し（第２の変復調部110及びアクセス制御部106間を接続し）、また、第１のA/D変換部103、第１のD/A変換部104及び第１の変復調部105へのクロックの供給を停止するように動作制御部111を設定しておく。
【００３０】
まず、送信時には、アクセス制御部106は、外側から入力されたデータに所定の無線通信方式のプロトコルに則ったヘッダ情報等を付加してデータユニットを生成する。生成されたデータユニットはセレクタ107を介して第２の変復調部110に入力される。
【００３１】
第２の変復調部110は入力されたデータユニット毎に所定の変調処理を施して変調信号を生成し、第２のD/A変換部109に出力する。
【００３２】
第２のD/A変換部109は、受け取った変調信号をアナログ信号に変換して無線周波数変換器112に出力する。
【００３３】
無線周波数変換器112は、受け取ったアナログ信号を高周波の無線周波数信号に変換し、無線信号として出力する。
【００３４】
一方、受信時には、無線周波数変換器112は、受信した無線信号を、ベースバンドもしくは中間周波数のアナログ信号に変換して第２のA/D変換部108に出力する。
【００３５】
第２のA/D変換部108は、受け取ったベースバンドあるいは中間周波数のアナログ信号をディジタル信号に変換して第２の変復調部110に出力する。
【００３６】
第２の変復調部110は、受け取ったディジタル信号を復調処理して第１の送受信回路101に送出する。
【００３７】
第１の送受信回路101に入力された復調後のディジタル信号は、セレクタ107を介してアクセス制御部106に入力される。
【００３８】
アクセス制御部106は、受け取ったディジタル信号を所定のプロトコルに従って処理してデータ信号を生成し、出力する。
【００３９】
以上では、基本となる第１の送受信回路101にオプションの第２の送受信回路102を付加した無線通信装置の動作について説明した。
【００４０】
ここで、第１の送受信回路101は、第２の送受信回路102を用いなくとも、それ単体で、無線通信を実行可能である。即ち、この第１の送受信回路101と無線周波数変換器112とを接続して、より詳細には、第１のA/D変換部103における入力端子T1と、第１のD/A変換部104における出力端子T2とを無線周波数変換器112に接続して、無線通信装置を構成できる。これにより、例えば、一般ユーザには第１の送受信回路のみで構成された無線通信装置（例えばスマートアンテナ機能を有さない）を提供し、より高性能化を望むユーザのみには第２の送受信回路を追加した無線通信装置（例えばスマートアンテナ機能を有する）を提供することも可能である。以下、無線周波数変換器112と第１の送受信回路101とを接続して構成した無線通信装置の動作について説明する。
【００４１】
但し、前提条件として、第１の変復調部105及びアクセス制御部106間で通信可能なようにセレクタ107を設定し、また、第１のA/D変換部103、第１のD/A変換部104及び第１の変復調部105を動作させるように動作制御部111を設定しておく。
【００４２】
まず、送信時には、アクセス制御部106は、入力されたデータに所定の無線通信方式のプロトコルに則ったヘッダ情報等を付加してデータユニットを生成する。生成されたデータユニットはセレクタ107を介して第１の変復調部105に入力される。
【００４３】
第１の変復調部105は、入力されたデータユニットに所定の変調処理を行って変調信号を生成し、D/A変換部104に送出する。
【００４４】
D/A変換部104は、この変調信号をアナログ信号に変換して、無線周波数変換器112に送出する。
【００４５】
無線周波数変換器112は、このアナログ信号を高周波の無線周波数信号に変換した後、無線信号として出力する。
【００４６】
一方、受信時には、無線周波数変換器112は、受信した無線信号を中間周波数もしくはベースバンドのアナログ信号に変換して、第１のA/D変換部103に出力する。
【００４７】
第１のA/D変換部103は、受け取ったアナログ信号をディジタル信号に変換して、第１の変復調部105に出力する。
【００４８】
第１の変復調部105は、受け取ったディジタル信号を復調処理して出力する。出力された復調後のディジタル信号はセレクタ107を介してアクセス制御部106に入力される。
【００４９】
アクセス制御部106は、受け取ったディジタル信号を所定のプロトコルに従って処理してデータ信号を生成し、出力する。
【００５０】
以上のように、本実施の形態によれば、第２の送受信回路102を用いて無線通信を行う場合は、第１の送受信回路101における第１のA/D変換部103、第１のD/A変換部104、第１の変復調部105の動作を停止させるようにしたので低消費電力化が可能となる。即ち、第２の送受信回路102を用いて通信を行う場合は、第１の送受信回路101における第１のA/D変換部103、第１のD/A変換部104、第１の変復調部105は使用しないので、これらの動作を停止することで消費電力を低減化できる。
【００５１】
（第２の実施の形態）
第１の実施の形態では、基本となる第１の送受信回路に第２の送受信回路を付加し、この第２の送受信回路を用いて送受信を行った。これに対し、本実施の形態では、基本となる送受信回路に受信回路を付加し、受信処理は付加された受信回路で行い、送信処理は、基本となる送受信回路で行う。以下、本実施の形態について詳しく説明する。
【００５２】
図２は、本発明の第２の実施の形態としての無線通信装置の構成を示すブロック図である。
【００５３】
図２に示すように、送受信回路201に受信回路202が付加されている。送信処理は送受信回路201を用いて行い、受信処理は受信回路202を用いて行う。このような構成は、送受信回路201の受信機能のみを高性能化する場合に有効である。例えば、受信時における受信信号の等化機能や誤り訂正機能（復調処理）を強化する場合などに有効である。
【００５４】
セレクタ208は、第１の復調部205及びアクセス制御部207間の通信と、第２の復調部210及びアクセス制御部207間を通信のいずれかを選択可能に構成される。第１の実施の形態と異なり、送信処理は、送受信回路201で行われるので、変調部206及びアクセス制御部207間にセレクタは配置されない。
【００５５】
第１のD/A変換部204と無線周波数変換器212とは、第１のD/A変換部204における出力端子T2を介して接続される。また、第２のA/D変換部209と無線周波数変換器212とは、第２のA/D変換部209における入力端子T3を介して接続される。
【００５６】
動作制御部211は、第１のA/D変換部203と第１の復調部205の少なくとも一方の動作を制御可能に構成される。
【００５７】
このような無線通信装置の動作について説明すると以下の通りである。
【００５８】
送信時においては、送受信回路201における変調部206は、アクセス制御部207によって生成されたデータユニットを受信し、データユニット毎に所定の変調処理を行って、変調信号を生成する。D/A変換部204は、この変調信号をアナログ信号に変換して無線周波数変換器212に送出する。無線周波数変換器212は、このアナログ信号を無線信号に変換して送信する。
【００５９】
一方、受信時においては、無線周波数変換器212によってベースバンド信号もしくは中間周波数信号に変換された受信信号は、第２の受信回路202における第２のA/D変換部209によってディジタル信号に変換された後、第２の復調部210に入力される。第２の復調部210は、入力されたディジタル信号を復調し、復調した信号を、第１の送受信回路201におけるセレクタ208を介してアクセス制御部207に送出する。但し、セレクタ208は、第２の復調部210及びアクセス制御部207間を接続するように設定される。アクセス制御部207は、受け取った信号をデータ信号に変換して出力する。
【００６０】
以上に説明した送信及び受信において、送受信回路201に含まれる第１の復調部205、第１のA/D変換部203は使用されない。従って、これらの動作を停止させるように動作制御部211を設定しておく。これにより、余分な電力の消費を防ぎ、無線通信装置全体の低消費電力化が可能となる。
【００６１】
ここで、送受信回路201は、受信回路202を用いなくとも、受信処理可能である。送受信回路201で受信処理を行う場合、第１の復調部205とアクセス制御部207とを接続するようにセレクタ208を設定し、第１のA/D変換部203及び第１の復調部205が動作可能なように動作制御部211を設定する。また、第１のA/D変換部203をその入力端子T1を介して無線周波数変換器212に接続する。
【００６２】
本例では、受信処理を追加の回路（受信回路202）で行う構成を示したが、送信処理を追加の回路で行う構成も当然考えられる。この場合は、動作制御部211によって送受信回路201におけるD/A変換部204及び変調部206の動作を停止し、これにより無駄な消費電力を削減できる。
【００６３】
以上のように、本実施の形態によれば、追加の回路（受信回路202）で受信処理を行う場合は、送受信回路における受信処理部（第１のA/D変換部203、第１の復調部205）の動作を停止させるようにしたので、受信機能を高性能化しつつも、低消費電力化を実現できる。
【００６４】
（第３の実施の形態）
本実施の形態は、受信時における復調処理を前段と後段の２段階に分け、前段を追加の受信回路で行い、後段を基本となる送受信回路で行う。例えば、受信信号の同期方式や歪み補償方式などの前段の復調処理のみを追加の受信回路で高性能化し、後段の復号処理、例えば誤り訂正、インターリーブ、スクランブル等を基本となる送受信回路で行う。これにより一部の復号処理（前段の復号処理）のみの高性能化を行う。以下、本実施の形態について詳しく説明する。
【００６５】
図３は、本発明の第３の実施の形態としての無線通信装置の構成を示すブロック図である。
【００６６】
図３に示すように、複数の無線周波数変換器313、313・・・は、それぞれアンテナを備え、受信回路302はこれら複数のアンテナに対応して、複数の第２のA/D変換部310、310、・・・を備える。
【００６７】
受信回路302における第２の復調部311は、いわゆるスマートアンテナ機能を実現する。即ち、第２の復調部311は、受信時において、複数の第２のA/D変換部310、310・・・から出力されるディジタル信号のいずれか（例えば最も受信状態が適正な信号）を用いて復調処理（前段）を行う。あるいは、第２の復調部311は、これらのディジタル信号の位相を合致させ後、これらのディジタル信号を合成し、合成後の信号を用いて復調処理（前段）を行う。第２の復調部311による復調処理（前段）は、送受信回路301における第１の前半復調部305の復調機能を高機能化したものである。
【００６８】
送受信回路301における第１の後半復調部307は、第２の復調部311あるいは第１の前半復調部305による前段の復調後のデータを用いて、後段の復調処理を行う。
【００６９】
セレクタ309は、第２の復調部311及び第１の後半復調部307間の通信、第１の前半復調部305及び第１の後半復調部307間の通信を選択可能に構成される。
【００７０】
動作制御部312は、第１のA/D変換部及び第１の前半復調部305の少なくとも一方の動作を制御可能に構成される。
【００７１】
以上のような無線通信装置の動作について説明すると以下の通りである。
【００７２】
送信時においては、送受信回路301における変調部306は、アクセス制御部308によって生成されたデータユニットを受信し、データユニット毎に所定の変調処理を行って変調信号を生成する。第１のD/A変換部304は、この変調信号をアナログ信号に変換し、無線周波数変換器313は、このアナログ信号を無線信号に変換して出力する。
【００７３】
一方、受信時においては、無線周波数変換器313によってベースバンド信号もしくは中間周波数信号に変換された受信信号は、受信回路302におけるA/D変換部310、310・・・によってディジタル信号に変換された後、第２の復調部311に入力される。第２の復調部311は、前述のスマートアンテナ機能を用いて前段の復調処理を行った後、復調後の信号を、セレクタ309を介して第１の後半復調部307に送出する。第１の後半復調部307は、受け取った信号を用いて後段の復調処理を行った後、復調後の信号をアクセス制御308に送出する。アクセス制御部308は、受け取った信号をデータ信号に変換して出力する。
【００７４】
以上の送信及び受信処理では、送受信回路301に含まれる第１の前半復調部305及び第１のA/D変換部303は使用されないので、あらかじめこれらの動作を停止させるように動作制御部312を設定しておく。これにより、余分な電力の消費を防ぎ、無線通信装置全体の低消費電力化を実現できる。
【００７５】
ここで、送受信回路301は、受信回路302を用いなくとも、第１の前段復調部305を用いて、前段の復調処理を実行可能である。この場合、第１の前半復調部305と第１の後半復調部とを接続するようにセレクタ309を設定し、また、第１のA/D変換部303及び第１の前半復調部305が動作可能なように動作制御部312を設定する。また、第１のA/D変換部303をその入力端子T1を介して無線周波数変換器313に接続する。
【００７６】
以上のように、本実施の形態によれば、追加の回路（受信回路302）で前段の復調処理を行う場合は、基本となる送受信回路における第１のA/D変換部303及び第１の前半復調部305の少なくとも一方の動作を停止するようにしたので、前段の復調処理を高機能化しつつも、低消費電力化を実現できる。また、高度化する必要がある復調処理のみを追加の回路（受信回路302）に搭載すればよいので、追加の回路の規模は小さくて済む。
【００７７】
（第４の実施の形態）
図４は、図１に示す第１の送受信回路内に、セレクタ及び動作制御部の設定を行うモード設定部413を追加した無線通信装置の構成を示すブロック図である。
【００７８】
モード設定部413は、動作制御部411の動作内容を特定した電力供給モードを動作制御部411に送り、動作制御部411は受け取った電力供給モードに従って動作を決定する。また、モード設定部413は、セレクタ407の動作内容を特定した通信モードをセレクタ407に送り、セレクタ407は、受け取った通信モードに従って動作を決定する。
【００７９】
モード設定部413は、第２の変復調部410とアクセス制御部406とを接続する動作モードをセレクタ407に送出した場合は、第１のA/D変換部403、第１のD/A変換部404、第１の変復調部405への電源供給等を停止する電力供給モードを動作制御部411に送出する。
【００８０】
一方、モード設定部413は、第１の変復調部405とアクセス制御部406とを接続する動作モードをセレクタ407に送出した場合は、第１のA/D変換部403、第１のD/A変換部404及び第１の変復調部405に電源等を供給する電力供給モードを動作制御部411に送出する。
【００８１】
モード設定部413は、第２の送受信回路402が第１の送受信回路401に付加されているかどうかを自動認識し、各場合に対応したモードをセレクタ407及び動作制御部411に送出する。あるいは、ユーザが、セレクタ407及び動作制御部411に対するモードをモード設定部413に手動で登録しておき、動作開始時にモード設定部413が登録されたモードをセレクタ407及び動作制御部411に送る。あるいは、出荷時にセレクタ407及び動作制御部411に対する設定内容をモード設定部413に登録し、動作開始時にモード設定部413が登録されたモードをセレクタ407及び動作制御部411に送る。また電波の受信状況に応じて、モード設定部413が、第２の送受信回路402を用いるか否かを判断し、判断結果に応じたモードをセレクタ407及び動作制御部411に送る。
【００８２】
以上のように、本実施の形態によれば、動作制御部411及びセレクタ407の設定を行うモード設定部413を設けたので、動作制御部411及びセレクタ407に対する設定を簡易に行うことができる。
【００８３】
（第５の実施の形態）
図５は、図１に示す第１の送受信回路101内に、入出力形式設定部508を追加した無線通信装置の構成を示すブロック図である。
【００８４】
この入出力形式設定部508は、第２の変復調部511の入出力形式（バス幅及びクロック速度）をアクセス制御部507の入出力形式（第１の変復調部505の入出力形式）に変換する。即ち、第２の入出力形式設定部508は、受信時には、第２の変復調部511の出力形式で受け取った信号をアクセス制御部507の入力形式で出力する。一方、送信時には、入出力形式設定部508は、アクセス制御部507の出力形式で受け取った信号を、第２の変復調部511の入力形式で出力する。このようにして、入出力形式設定部508は、互いに異なる入出力形式を有する第２の変復調部511とアクセス制御部507とを相互に接続する。
【００８５】
図６（ａ）は、入出力形式設定部508及びアクセス制御部507間を流れる信号を示す図である。図６（ａ）に示すように、入出力形式設定部508及びアクセス制御部507間は、2系統パラレル伝送方式で信号が伝送される。
【００８６】
図６（ｂ）は、第２の変復調部511及び入出力形式設定部508間を流れる信号を示す図である。図６（ｂ）に示すように、第２の変復調部511及び入出力形式設定部508間は、シリアル伝送方式で信号が伝送される。図６（ａ）（ｂ）を対比して分かるように、第２の変復調部511のクロック速度は、アクセス制御部507の２倍である。
【００８７】
即ち、入出力形式部508は、受信時は、第２の変復調部511からシリアル伝送方式で送信された信号を、半分のクロック速度及びパラレル伝送方式でアクセス制御部507に送信する。また、入出力形式部511は、送信時は、アクセス制御部507から入力されたパラレル伝送方式の信号を、倍のクロック速度及びパラレル伝送方式で第２の変復調部511に送信する。
【００８８】
この場合、第２の変復調部511及び入出力形式設定部508間の信号線数は、アクセス制御部507及び入出力形式設定部508間の信号線数の半分で済むため、第２の送受信回路502における信号線を削減でき、モジュール基板構成を簡略化できる。
【００８９】
以上とは反対に、入出力形式設定部508及びアクセス制御部507間のデータ伝送を図６（ｂ）に示すシリアル伝送方式で行い、第２の変復調部511及び入出力形式設定部508間のデータ伝送を図６（ａ）に示すように半分のクロック速度及びパラレル伝送方式で行うことも可能である。この場合、第２の変復調部110におけるクロック速度は、前述の場合の半分になるので、第２の送受信回路502（モジュール基板）に多くの信号線を実装可能であれば、この構成を採用することで、モジュール基板に混入する雑音を低減できる。
【００９０】
以上の無線通信装置の動作について簡単に説明すると以下の通りである。
【００９１】
但し、セレクタ506は、第２の変復調部511とアクセス制御部507とを接続するように設定され、動作制御部512は、第１のA/D変換部503、第１のD/A変換部504及び第１の変復調部505の動作を停止させるように設定されているものとする。
【００９２】
送信時においては、アクセス制御部507で生成されたデータユニットはセレクタ506を介して入出力形式設定部508に入力される。入出力形式設定部508は、入力されたデータユニットの伝送方式及びクロック速度を変換して第２の変復調部511に出力する。第２の変復調部511は、入力されたデータユニットを変調して変調信号を生成し、第２のD/A変換部510は、この変調信号をアナログ信号に変換する。無線周波数変換器513は、このアナログ信号を周波数変換した後、無線信号として送信する。
【００９３】
一方、受信時においては、無線周波数変換器513によってベースバンドもしくは中間周波数の信号に変換された受信信号は、第２のA/D変換部509によってディジタル信号に変換される。第２の変復調部511はこのディジタル信号を復調して入出力形式設定部508に出力する。入出力形式設定部508は、入力されたディジタル信号の伝送方式及びクロック速度を変換した後、セレクタ506を介してアクセス制御部507に出力する。アクセス制御部507は、入力されたディジタル信号をデータ信号に変換して出力する。
【００９４】
以上のように、本実施の形態によれば、第２の変復調部511の入出力形式をアクセス制御部507の入出力形式に変換する入出力形式設定部508を設けたので、アクセス制御部507と異なる入出力形式を有する回路であっても、第１の送受信回路に外付け可能となる。
【００９５】
本発明は、無線通信装置に限らず、通信システム全般、画像処理システム等、変復調処理を必要とするシステム全般に適用可能である。
【００９６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９７】
【図１】本発明の第１の実施の形態を示す無線通信装置のブロック図
【図２】本発明の第２の実施の形態を示す無線通信装置のブロック図
【図３】本発明の第３の実施の形態を示す無線通信装置のブロック図
【図４】本発明の第４の実施の形態を示す無線通信装置のブロック図
【図５】本発明の第５の実施の形態を示す無線通信装置のブロック図
【図６】パラレル伝送方式で流れる信号及びシリアル伝送方式で流れる信号を示す図である。
【符号の説明】
【００９８】
101,401,501  第１の送受信回路
102,402,502  第２の送受信回路
103,203,303,403,503  第１のA/D変換部
104,204,304,404,504  第１のD/A変換部
105,405,505  第１の変復調部
106,207,308,406,507  アクセス制御部
107,208,309,407,506  セレクタ
108,209,310,408,509  第２のA/D変換部
109,409,510  第２のD/A変換部
110,410,511  第２の変復調部
111,211,312,411,512  動作制御部
112,212,313,412,513  無線周波数変換器
201,301  送受信回路
202,302  受信回路
205  第１の復調部
206,306  変調部
305  第１の前半復調部
307  第１の後半復調部
311  第２の復調部
508  入出力形式設定部
T1、T3、T6a  入力端子
T2、T4、T5a  出力端子
T5、T6、T7  入出力端子
【図１】
2005210415.tif 000003
【図２】
2005210415.tif 000004
【図３】
2005210415.tif 000005
【図４】
2005210415.tif 000006
【図５】
2005210415.tif 000007
【図６】
2005210415.tif 000008